(57)【要約】【課題】一般家庭において庭先やベランダ等の露天で鉢付き果樹を栽培する場合に、手軽に果樹の防虫、防雨及び防風を行い得る果樹の覆い装置を提供する。【解決手段】植木鉢１に固定される支柱部２と、支柱部２の上端に固定され、植木鉢１に植えた果樹の上を覆う透明な材質の傘３と、傘３の上から植木鉢１の側壁１ａまでを覆う防虫ネット４と、防虫ネット４を植木鉢１の側壁１ａで絞る絞り紐５からなる。支柱部２は、植木鉢１の上縁部に固定されるリング状の下端支持体７と、傘３が固定されるリング状の上端支持体８と、両支持体を連結する複数本の支柱９からなる。【選択図】  図１
0003123558.tif 000002
【実用新案登録請求の範囲】
【請求項１】
植木鉢に固定される支柱部と、支柱部の上端に固定され、植木鉢に植えた果樹の上を覆う透明な材質の傘と、前記傘の上から植木鉢の側壁までを覆う防虫ネットと、防虫ネットを植木鉢の側壁で絞り閉鎖する絞り手段からなる果樹の覆い装置。
【請求項２】
前記支柱部が、植木鉢に固定される下端支持体と、前記傘が固定される上端支持体と、前記下端支持体に下端が連結し、上方に外広がりに伸び、上端が前記上端支持体に連結する複数本の支柱からなることを特徴とする請求項１に記載された果樹の覆い装置。
【請求項３】
前記支柱部の下端支持体及び上端支持体がリング状をなし、下端支持体の径は植木鉢の上縁の径とほぼ一致し、上端支持体は下端支持体より径が大きく形成されていることを特徴とする請求項２に記載された果樹の覆い装置。
【請求項４】
前記防虫ネットが黒色であることを特徴とする請求項１〜３のいずれかに記載された果樹の覆い装置。
【請求項５】
前記防虫ネットの目合いが０．４〜２ｍｍであることを特徴とする請求項１〜４のいずれかに記載された果樹の覆い装置。
【請求項６】
植木鉢と、請求項１〜５のいずれかに記載された果樹の覆い装置からなることを特徴とする覆い装置付き植木鉢。
【請求項７】
果樹を植えた植木鉢に請求項１〜５のいずれかに記載された果樹の覆い装置を取り付けたことを特徴とする鉢付き果樹。
【考案の詳細な説明】
【技術分野】
【０００１】
本考案は、鉢付き果樹の防虫、防雨及び防風を行う覆い装置に関する。
【背景技術】
【０００２】
果樹の花や芽、果実が雨に濡れると、カビやウイルスの増殖、あるいは水分の吸収による裂果が生じる。これを防止するため、下記特許文献１，２に示すように、ビニールハウス内で果樹を栽培し又はビニールシートで果樹の上を覆うことが一般に行われている。また、果樹の花や芽、果実をアブラムシ、蛾、蜂、カメムシ等の害虫から保護するため、下記特許文献３〜５に示すように、果樹を防虫ネットで覆うことも一般に行われている。これらのビニールシートや防虫ネットは、強風による落花又は落果を防止する機能も有している。
一方、下記特許文献６には、鉢植えの花を強い日差しや雨から保護するため、植木鉢にパラソルを着脱自在に固定することが記載されている。
【０００３】
【特許文献１】実開平６−５４４０号公報
【特許文献２】特開２００３−１５３６３５号公報
【特許文献３】実用新案登録第３１０６０５６号公報
【特許文献４】特開平１０−１７４５３１号公報
【特許文献５】特開２００１−５７８２０号公報
【特許文献６】実用新案登録第３０５５８４３号公報
【考案の開示】
【考案が解決しようとする課題】
【０００４】
果樹農家ではない一般家庭において、庭先やベランダ等で果樹を鉢植えにして栽培し、花や芽、果実を観賞したり、果実の収穫を楽しむ人が多くなっている。しかし、雨や風の当たる露天で栽培する以上、害虫や雨（カビや微生物による病害）あるいは風による被害が発生する。例えばぶどう、桃、梨など、害虫の被害やカビ等の病虫害が多く発生しやすい果樹の場合、その被害を防止するため何度も消毒を行う必要があり、年間を通じて手間がたいへんである。また強風による落果の被害も多いというのが現状である。
【０００５】
庭先やベランダに一般家庭用の小型のビニールハウスを設置し、その中で果樹を栽培すれば、これらの被害から果樹を保護することができ、消毒の回数も大きく減らすことができる。しかし、ビニールハウスは日差しが強くなる初夏以降は内部が高温になり、果実や樹幹の焼けあるいは果実品質の低下を引き起こす。一方、高温になるのを防止するためビニールを巻き上げ内部を外気に開放すると、虫害や風雨の害を防止できない。しかも、小型とはいえビニールハウスは場所をとり、都会の狭い庭やベランダには不向きであるばかりか高価であり、１、２本の果樹のために手軽に設置できるというものではない。なお、前記特許文献６に記載された手段は、個別の鉢毎に手軽に適用できる利点があるが、果樹に必要な直射日光を遮り、虫害や風害は防止できず、風があるときは雨の害も防止できないため、果樹栽培に対する適性はない。
【０００６】
従って、本発明は、一般家庭において庭先やベランダ等の露天で鉢付き果樹を栽培する場合に、手軽に防虫、防雨及び防風を行い得る果樹の覆い装置を提供することを目的とする。
【課題を解決するための手段】
【０００７】
本発明に係る果樹の覆い装置は、植木鉢に固定される支柱部と、支柱部の上端に固定され、植木鉢に植えた果樹の上を覆う透明な材質の傘と、前記傘の上から植木鉢の側壁までを覆う防虫ネットと、防虫ネットを植木鉢の側壁で絞り閉鎖する絞り手段からなる。
望ましい実施の形態として、前記支柱部が、植木鉢の上縁部に固定される下端支持体と、前記傘が固定される上端支持体と、前記下端支持体に下端が連結し、上方に外広がりに伸び、上端が前記上端支持体に連結する複数本の支柱からなること、その場合に、前記支柱部の下端支持体及び上端支持体がリング状をなし、下端支持体の径は植木鉢の上縁の径とほぼ一致し、上端支持体は下端支持体より径が大きく形成されていることが挙げられる。
【考案の効果】
【０００８】
本考案において、傘は果樹の上を覆い、透明な材質からなるため日差しを妨げず、果樹に雨が降りかかるのを防止できる。防虫ネットは果樹の周囲を取り囲み、植木鉢の側壁で絞られ、虫が入らないようにして虫害を防止すると同時に、果樹に当たる風を弱め、さらに風により斜めに降り込む雨粒を遮り果樹にかかるのを防止できる。
従って、本考案に係る果樹の覆い装置によれば、虫害やカビ等の発生が抑えられ、消毒の回数を大きく減らすか又はなくすことができる。また風害による落果を防ぐことができ、さらに防虫ネットの目を通して換気も行われるため、日差しがきつくても防虫ネット内部が高温にならず、果実や樹幹の焼けあるいは果実品質の低下が防止できる。
また、本考案において、防虫ネットは植木鉢側壁への絞りを解除することにより、容易に着脱できる。このため、交配、摘蕾、摘花などの管理作業が行いやすく、特に防虫ネットが黒色の場合に防虫ネット内をよく透視でき、果樹の状況をよく把握できるとともに良好に観賞できる。
本考案に係る果樹の覆い装置は、果樹を植えた各鉢毎にセットするもので、構造が簡単で安価である。従って、一般家庭において庭先やベランダ等の露天で鉢付き果樹を栽培する場合に、果樹の防虫、防雨、防風を確実かつ手軽に行うことができる。
【考案を実施するための最良の形態】
【０００９】
以下、図１〜３を参照して、本発明に係る果樹の覆い装置について説明する。
図１に示すように、この覆い装置は、植木鉢１（植えた果樹は図示が省略されている）に固定される支柱部２と、支柱部２の上端に固定された傘３と、傘３の上方から植木鉢１の側壁までを覆う防虫ネット４と、防虫ネット４を植木鉢１の側壁で絞り、ネット４を閉鎖する絞り手段５からなる。
植木鉢１の側壁１ａの上縁近傍には、図２に示すように、内外貫通する穴６が円周方向に沿って等間隔に４箇所形成されている。
支柱部２は、リング状の下端支持体７及び上端支持体８と、下端支持体７と上端支持体８の間を円周方向に沿って等間隔で連結する４本の支柱９からなる。上端支持体８、下端支持体７及び支柱９は例えば鉄などの金属からなり、支柱９の下端は下端支持体７に、上端は上端支持体８にそれぞれ溶接固定されている。下端支持体７の径は植木鉢１の上縁の径とほぼ一致し、上端支持体８の径は下端支持体７の径より大きく形成されている。従って、支柱９は上方に外広がりに伸びている。
【００１０】
傘３は透明な材質、例えばポリカーボネートや塩ビ板からなり、周縁部になるほど下方になるように湾曲した形状（上方に凸）を有し、上縁支持体８より大径であり、上縁支持体８の径とほぼ同一径の円周上の４箇所に各一対の穴１１が形成されている。なお、傘３は無色透明でなく着色されていてもよい。
防虫ネット４は袋を逆さにしたような形状で、下端の絞り口には、該袋口を植木鉢１の側壁１ａの周囲に絞り込めるように、絞り紐（絞り手段）５が裾の折り返し部分の中を絞り込み可能に通されている。他の絞り手段として、例えばパンツの如くゴム紐を裾の折り返し部分に内装する方法もある。防虫ネット４は、果樹につく害虫の侵入を防止する効果が表れる２ｍｍ以下の目合いのものが好ましく、その目合いのものであれば、防虫と同時に雨粒の吹き込みが防止でき、かつ防風が可能である。本発明に係る覆い装置は、内容積の割りに表面積が大きいため、目合いの小さい防虫ネットを用いても、換気がよく行われて日差しがきつくても内部温度の上昇は小さい。好ましくは目合い０．４〜２ｍｍのもの、より好ましくは目合い０．６〜１．２ｍｍ、一般的に目合い１ｍｍ程度のものを選択すればよい。また、内部をよく透視できて管理作業がし易く、観賞の妨げにならないという意味で黒色のネットが好ましい。
【００１１】
この覆い装置の装着にあたっては、図３に示すように、支柱部２の下端支持体７が植木鉢１（植えた果樹は図示が省略されている）の上縁に固定される。この固定は、インシュロックなどの結束具１２を植木鉢１の穴６に通し、下端支持体７を巻き止めることで行われる。また、傘３が上端支持体８に固定される。この固定は、インシュロックなどの結束具１３を傘３の穴１１に通し、上端支持体８を巻き止めることで行われる。
続いて、図１に示すように、防虫ネット４を傘３の上から被せ、下端の絞り口を植木鉢１の側壁１ａの周囲に位置させ、絞り紐５を引っ張り、絞り口を側壁１ａの周囲に絞り込んで、絞り紐５を結び、果樹の周囲を完全に包囲する。
【００１２】
なお、本発明に係る覆い装置は、上記の例に限らず、種々の形態を取り得る。例えば、上記の例では支柱部２は下端支持体７、上端支持体８及び支柱９から構成されるが、これは傘３を確実に支持できるのであれば、任意の構造を取り得る。その固定手段についても上記の例では結束具１２を用いて植木鉢１の上縁に下端支持体７を固定したが、下端支持体７を植木鉢１の中に入る径とし、植木鉢１の内部で側壁１ａにボルト止めや結束具により固定することもできる。また、この固定手段は、支柱部の具体的構造によって種々の形態を取ることができ、例えば特許文献６に類似する態様で、支柱の下端を植木鉢１の土中に差し込んで固定することも可能である。
支柱部２と傘３の固定手段についても、上記の例では結束具１３を用いて上端支持体８に傘３を固定したが、ボルト止め等の他の手段を用いることもでき、支柱部の構造によってはさらに他の手段をとることができる。
防虫ネット４の絞り手段についても、上記の例では絞り紐５を用いて植木鉢１の側壁１ａに緊着したが、ゴム紐を内蔵させるなど他の任意の絞り手段を用いることができる。
【図面の簡単な説明】
【００１３】
【図１】本発明に係る果樹の覆い装置を植木鉢にセットした状態を示す側面図である。
【図２】本発明に係る果樹の覆い装置のうち支柱部と傘を分離し植木鉢とともに示す分解図である。
【図３】本発明に係る果樹の覆い装置のうち支柱部と傘を植木鉢に固定した状態を示す側面図である。
【符号の説明】
【００１４】
１  植木鉢
２  支柱部
３  傘
４  防虫ネット
５  絞り紐（絞り手段）  
６，１１  穴
７  下端支持体
８  上端支持体
９  支柱
１２，１３  結束具  
【図１】
0003123558.tif 000003
【図２】
0003123558.tif 000004
【図３】
0003123558.tif 000005